(57)【要約】【課題】ユーザにおいて、相手側の通信端末装置が利用可能な通信機能を容易に把握すること。【解決手段】通信ネットワーク上に接続された複数の携帯電話１０と、複数の携帯電話１０が利用可能な通信機能を管理する交換機１３とを備える通信システムにおいて、交換機１３は、発信側の携帯電話１０Ａから通信要求を受け付けると、携帯電話１０Ａが利用可能な通信機能を判定して着信側の携帯電話１０Ｂに通知する一方、携帯電話１０Ｂが利用可能な通信機能を判定して携帯電話１０Ａに通知し、発信側及び着信側の携帯電話１０Ａ、１０Ｂは、交換機１３から通知された相手側の携帯電話１０Ｂ、１０Ａが利用可能な通信機能を表示すると共に、通信終了後に当該相手側の携帯電話１０Ｂ、１０Ａが利用可能な通信機能を登録する。【選択図】図１
2008066985.tif 000002
【特許請求の範囲】
【請求項１】
通信ネットワーク上に接続された複数の通信端末装置と、前記複数の通信端末装置が利用可能な通信機能を管理する管理装置とを備える通信システムであって、
前記管理装置は、発信側の通信端末装置から通信要求を受け付けると、当該発信側の通信端末装置が利用可能な通信機能を判定して着信側の通信端末装置に通知する一方、前記着信側の通信端末装置が利用可能な通信機能を判定して前記発信側の通信端末装置に通知し、
前記発信側及び着信側の通信端末装置は、前記管理装置から通知された相手側の通信端末装置が利用可能な通信機能を表示すると共に、前記相手側の通信端末装置との通信終了後に当該相手側の通信端末装置が利用可能な通信機能を登録することを特徴とする通信システム。
【請求項２】
前記発信側及び着信側の通信端末装置は、前記管理装置から通知された前記相手側の通信端末装置が利用可能な通信機能をアイコンで表示することを特徴とする請求項１記載の通信システム。
【請求項３】
前記管理装置は、前記発信側又は着信側の通信端末装置が利用可能な通信機能の通知が許容されている場合に当該通信機能を前記相手側の通信端末装置に通知することを特徴とする請求項１又は請求項２記載の通信システム。
【請求項４】
前記発信側及び着信側の通信端末装置は、前記相手側の通信端末装置が利用可能な通信機能を未登録の場合に当該通信機能を登録することを特徴とする請求項１から請求項３のいずれかに記載の通信システム。
【請求項５】
通信ネットワーク上に接続された複数の通信端末装置が利用可能な通信機能を管理する管理装置を用いた通信機能情報表示方法であって、
発信側の通信端末装置から通信要求を受け付けると、前記管理装置で当該発信側の通信端末装置が利用可能な通信機能を判定して着信側の通信端末装置に通知し、当該着信側の通信端末装置に前記発信側の通信端末装置が利用可能な通信機能を表示する一方、前記管理装置で前記着信側の通信端末装置が利用可能な通信機能を判定して前記発信側の通信端末装置に通知し、前記発信側の通信端末装置に前記着信側の通信端末装置が利用可能な通信機能を表示し、通信終了後に前記発信側及び着信側の通信端末装置に相手側の通信端末装置が利用可能な通信機能を登録することを特徴とする通信機能情報表示方法。
【請求項６】
前記発信側及び着信側の通信端末装置に、前記管理装置から通知した前記相手側の通信端末装置が利用可能な通信機能をアイコンで表示することを特徴とする請求項５記載の通信機能情報表示方法。
【請求項７】
前記発信側又は着信側の通信端末装置が利用可能な通信機能の通知が許容されている場合に当該通信機能を前記相手側の通信端末装置に通知することを特徴とする請求項５又は請求項６記載の通信機能情報表示方法。
【請求項８】
前記発信側及び着信側の通信端末装置に、前記相手側の通信端末装置が利用可能な通信機能を未登録の場合に当該通信機能を登録することを特徴とする請求項５から請求項７のいずれかに記載の通信機能情報表示方法。
【発明の詳細な説明】
【技術分野】
【０００１】
本発明は、通信システム及び通信機能情報表示方法に関し、特に、通信相手側の通信端末装置に関する情報を自己の通信端末装置に表示する通信システム及び通信機能情報表示方法に関する。
【背景技術】
【０００２】
従来、ユーザの通信端末装置（ユーザ端末装置）に通信接続されている相手側の通信端末装置（相手側端末装置）に関する情報をユーザ端末装置に表示するために、その通信を利用して相手側端末装置に問合せを行って当該相手側端末装置の情報を検出し、その検出情報をユーザ端末装置に表示する通信システムが提案されている（例えば、特許文献１参照）。
【特許文献１】特開２００３−３７６８４号公報
【発明の開示】
【発明が解決しようとする課題】
【０００３】
しかしながら、上述したような従来の通信システムにおいては、相手側端末装置の情報を検出する場合、その都度、相手側端末装置に対して問合せ等の通信を行う必要がある。また、通信終了後に相手側端末装置の情報を知るためには、再度通信を確立する必要がある。このため、通信開始時に通信方法を決定しておく必要があるテレビ電話サービス等の特定サービスを利用するユーザにとっては、問合せをしなければ相手側端末装置に所望の通信機能が備わっているか知ることができず、非常に使い勝手が悪いという問題がある。
【０００４】
本発明は、かかる点に鑑みて為されたものであり、ユーザにおいて、相手側の通信端末装置が利用可能な通信機能を容易に把握することができる通信システムを提供することを目的とする。
【課題を解決するための手段】
【０００５】
本発明の通信システムは、通信ネットワーク上に接続された複数の通信端末装置と、前記複数の通信端末装置が利用可能な通信機能を管理する管理装置とを備える通信システムであって、前記管理装置は、発信側の通信端末装置から通信要求を受け付けると、当該発信側の通信端末装置が利用可能な通信機能を判定して着信側の通信端末装置に通知する一方、前記着信側の通信端末装置が利用可能な通信機能を判定して前記発信側の通信端末装置に通知し、前記発信側及び着信側の通信端末装置は、前記管理装置から通知された相手側の通信端末装置が利用可能な通信機能を表示すると共に、前記相手側の通信端末装置との通信終了後に当該相手側の通信端末装置が利用可能な通信機能を登録することを特徴とする。
【０００６】
この構成によれば、通信要求があると管理装置から、発信側及び着信側の通信端末装置が利用可能な通信機能が相手側の通信端末装置に通知され、双方の通信端末装置において、相手側の通信端末装置が利用可能な通信機能が表示されるので、ユーザにおいて、相手側の通信端末装置が利用可能な通信機能を容易に把握することが可能となる。また、通信終了後に、通知された相手側の通信端末装置が利用可能な通信機能が登録されるので、後続する通信においても、相手側の通信端末装置が利用可能な通信機能を把握でき、当該通信機能の利用を促進することが可能となる。
【０００７】
上記通信システムにおいて、前記発信側及び着信側の通信端末装置は、前記管理装置から通知された前記相手側の通信端末装置が利用可能な通信機能をアイコンで表示するようにしても良い。この場合には、相手側の通信端末装置が利用可能な通信機能がアイコンで表示されるので、ユーザにおいて、直感的に相手側の通信端末装置が利用可能な通信機能を把握することが可能となる。
【０００８】
上記通信システムにおいて、前記管理装置は、前記発信側又は着信側の通信端末装置が利用可能な通信機能の通知が許容されている場合に当該通信機能を前記相手側の通信端末装置に通知することが好ましい。この場合には、ユーザからの指示に応じて利用可能な通信機能の通知の有無を切り替えることが可能となるので、通知する必要のない通信相手先にまで利用可能な通信機能が通知されるのを防止することが可能となる。
【０００９】
また、上記通信システムにおいて、前記発信側及び着信側の通信端末装置は、前記相手側の通信端末装置が利用可能な通信機能を未登録の場合に当該通信機能を登録するようにしても良い。この場合には、相手側の通信端末装置が利用可能な通信機能を未登録の場合に当該通信機能が登録されることから、相手側の通信端末装置が利用可能な通信機能が無差別に登録されるのを防止することが可能となる。
【００１０】
本発明の通信機能情報表示方法は、通信ネットワーク上に接続された複数の通信端末装置が利用可能な通信機能を管理する管理装置を用いた通信機能情報表示方法であって、発信側の通信端末装置から通信要求を受け付けると、前記管理装置で当該発信側の通信端末装置が利用可能な通信機能を判定して着信側の通信端末装置に通知し、当該着信側の通信端末装置に前記発信側の通信端末装置が利用可能な通信機能を表示する一方、前記管理装置で前記着信側の通信端末装置が利用可能な通信機能を判定して前記発信側の通信端末装置に通知し、前記発信側の通信端末装置に前記着信側の通信端末装置が利用可能な通信機能を表示し、通信終了後に前記発信側及び着信側の通信端末装置に相手側の通信端末装置が利用可能な通信機能を登録することを特徴とする。
【００１１】
この方法によれば、通信要求があると管理装置から、発信側及び着信側の通信端末装置が利用可能な通信機能が相手側の通信端末装置に通知され、双方の通信端末装置において、相手側の通信端末装置が利用可能な通信機能が表示されるので、ユーザにおいて、相手側の通信端末装置が利用可能な通信機能を容易に把握することが可能となる。また、通信終了後に、通知された相手側の通信端末装置が利用可能な通信機能が登録されるので、後続する通信においても、相手側の通信端末装置が利用可能な通信機能を把握でき、当該通信機能の利用を促進することが可能となる。
【００１２】
上記通信機能情報表示方法においては、前記発信側及び着信側の通信端末装置に、前記管理装置から通知した前記相手側の通信端末装置が利用可能な通信機能をアイコンで表示するようにしても良い。この場合には、相手側の通信端末装置が利用可能な通信機能がアイコンで表示されるので、ユーザにおいて、直感的に相手側の通信端末装置が利用可能な通信機能を把握することが可能となる。
【００１３】
上記通信システムにおいて、前記発信側又は着信側の通信端末装置が利用可能な通信機能の通知が許容されている場合に当該通信機能を前記相手側の通信端末装置に通知することが好ましい。この場合には、ユーザからの指示に応じて利用可能な通信機能の通知の有無を切り替えることが可能となるので、通知する必要のない通信相手先にまで利用可能な通信機能が通知されるのを防止することが可能となる。
【００１４】
また、上記通信システムにおいては、前記発信側及び着信側の通信端末装置に、前記相手側の通信端末装置が利用可能な通信機能を未登録の場合に当該通信機能を登録するようにしても良い。この場合には、相手側の通信端末装置が利用可能な通信機能を未登録の場合に当該通信機能が登録されることから、相手側の通信端末装置が利用可能な通信機能が無差別に登録されるのを防止することが可能となる。
【発明の効果】
【００１５】
本発明に係る通信システムによれば、通信要求があると管理装置から、発信側及び着信側の通信端末装置が利用可能な通信機能が相手側の通信端末装置に通知され、双方の通信端末装置において、相手側の通信端末装置が利用可能な通信機能が表示されることから、ユーザにおいて、相手側の通信端末装置が利用可能な通信機能を容易に把握することが可能となる。
【発明を実施するための最良の形態】
【００１６】
以下、本発明の実施の形態について添付図面を参照して詳細に説明する。
図１は、本実施の形態に係る通信システムが適用されるネットワーク全体の構成図である。なお、図１においては、通信システムが有する通信端末装置が携帯電話である場合について説明するが、これに限定されるものでなく、パーソナルコンピュータ（以下、「ＰＣ」という）やＰＤＡ（Personal Digital Assistance）などの通信機能及び表示機能を備えた通信機器であれば、いかなる通信機器を用いても良い。また、発信側と着信側の双方で異なる種類の通信機器を用いることも可能である。
【００１７】
図１に示すネットワークにおいて、例えば、携帯電話１０Ａが携帯電話１０Ｂと通信を行う場合、携帯電話１０Ａは、当該携帯電話１０Ａの現在の位置情報に対応する基地局１１Ａを介して携帯電話網１２に配設される携帯電話用交換機（以下、単に「交換機」という）１３Ａに接続する。そして、この交換機１３Ａと、携帯電話１０Ｂの現在の位置情報に対応する交換機１３Ｂとの間に通信路が形成され、基地局１１Ｂを介して携帯電話１０Ｂと通信することが可能となる。なお、交換機１３は、管理装置として機能する。
【００１８】
図２は、本実施の形態に係る通信システムが有する携帯電話１０の機能ブロック図である。なお、図２に示す携帯電話１０の構成は、本発明を説明するために簡略化したものであり、携帯電話１０は、通常の携帯電話に必要な処理機能を備えるものとする。
【００１９】
図２に示すように、携帯電話１０は、装置全体の制御を行う主制御部２１と、交換機１３や相手側の携帯電話１０等との通信制御を行う通信制御部２２と、携帯電話１０の使用時における各種表示を行う表示部２３と、表示部２３における表示制御を行う表示制御部２４と、ユーザの操作入力を受け付ける操作部２５と、発信時等に利用される電話帳データなどの情報を蓄積する情報蓄積部２６と、情報蓄積部２６への情報の登録を行う情報登録部２７とを備えている。
【００２０】
通信制御部２２は、相手側の携帯電話１０と通話を行う際に必要となる通信制御を行うと共に、後述するテレビ電話機能等の特定の通信機能を用いて通信を行う際に必要となる通信制御を行う。表示制御部２４は、必要に応じて情報蓄積部２６に蓄積された情報を用いて表示部２３の表示制御を行う。また、通信制御部２２が交換機１３との間で通信した他の携帯電話１０で利用可能な通信機能に応じて表示制御を行う。情報登録部２７は、後述するように、通話終了後に必要に応じて当該通話した相手側の携帯電話１０が利用可能な通信機能を電話帳データに登録する。
【００２１】
図３は、本実施の形態に係る携帯電話１０の情報蓄積部２６に登録された電話帳データの一例を示す図である。電話帳データは、テーブル管理されている。以下においては、電話帳データを管理するテーブルを「電話帳テーブル」と呼ぶものとする。電話帳テーブルには、図３に示すように、携帯電話番号に対応付けてユーザ名、メールアドレス、ユーザの画像データ、対応可能な通信機能、その通信機能に対応するアイコン及びメモが登録されている。なお、図３においては、３つの対応可能な通信機能が登録可能である場合について示しているが、その登録数については適宜変更が可能である。
【００２２】
図４は、本実施の形態に係る通信システムが有する交換機１３の機能ブロック図である。なお、図３に示す交換機１３の構成は、本発明を説明するために簡略化したものであり、交換機１３は、通常の交換機に必要な処理機能を備えるものとする。
【００２３】
図４に示すように、交換機１３は、装置全体の制御を行う主制御部４１と、携帯電話１０や、携帯電話網１２の他の交換機１３等との通信制御を行う通信制御部４２と、携帯電話１０の発信時等に利用される通信機能テーブルなどの情報を蓄積する情報蓄積部４３と、情報蓄積部４３に蓄積された携帯電話１０の通信機能を判定する通信機能判定部４４とを備えている。
【００２４】
情報蓄積部４３には、携帯電話網１３を運営する通信事業者が管理する全ての携帯電話１０が利用可能な通信機能が登録された通信機能テーブルが登録されている。通信機能判定部１１は、通信機能テーブルの登録内容に基づいて、各携帯電話１０の設定情報、並びに、各携帯電話１０で利用可能な通信機能を判定する。
【００２５】
図５は、本実施の形態に係る交換機１３の情報蓄積部４３に登録された通信機能テーブルの内容について示す図である。なお、図５に示す登録内容については一例を示したものであり、通信機能テーブルに登録される内容については、適宜変更が可能である。
【００２６】
図５に示すように、通信機能テーブルにおいては、上記通信事業者が管理する全ての携帯電話の電話番号に対応付けて、各携帯電話１０が利用可能な通信機能、各通信機能に対応するアイコン、並びに、各携帯電話１０の設定情報（例えば、発信番号の通知に関する設定情報）が登録されている。なお、図５においては、携帯電話１０が対応可能な通信機能として、テレビ電話機能、特殊メール機能及び特殊着信機能の３つを示している。ここで、テレビ電話機能とは、相手側のユーザの動画データ等を見ながら通話を行う機能である。特殊メール機能とは、例えば、デコメール（登録商標）のように電子メールに特殊な装飾を施す機能である。特殊着信機能とは、例えば、着もじ（登録商標）のように着信時の画像に特殊な表示を追加する機能である。なお、通信機能テーブルに登録される特定の通信機能については適宜変更が可能である。
【００２７】
次に、上記構成を有する通信システムで通話を行う場合の動作について図６及び図７を用いて説明する。図６及び図７は、本実施の形態に係る通信システムで通話を行う場合の動作について説明するためのシーケンス図である。特に、図６は、双方の携帯電話１０において、他の携帯電話１０が利用可能な通信機能を表示可能である場合におけるシーケンスを示し、図７は、携帯電話１０Ｂが他の携帯電話１０が利用可能な通信機能を表示可能でない場合におけるシーケンスを示している。なお、ここでは、携帯電話１０Ａから携帯電話１０Ｂに対して発信する場合について説明する。
【００２８】
なお、以下においては、図１に示す携帯電話１０Ａに電話番号「０９０−１１１１−ＸＸＸＸ」が割り当てられているものとし、同図に示す携帯電話１０Ｂに電話番号「０９０−１１１１−ＹＹＹＹ」が割り当てられているものとする。また、携帯電話１０Ａの情報蓄積部２６の電話帳テーブルには、携帯電話１０Ｂの電話番号「０９０−１１１１−ＹＹＹＹ」に対応付けて、ユーザ名「佐藤さん」、メールアドレス「ｓａｔｏｓａｎ＠ｄｏｃｏｍｏ．ｎｅ．ｊｐ」及び携帯電話１０Ｂのユーザの画像データが登録されているものとする。携帯電話１０Ｂの情報蓄積部２６の電話帳テーブルには、携帯電話１０Ａの電話番号「０９０−１１１１−ＸＸＸＸ」に対応付けて、ユーザ名「鈴木さん」、メールアドレス「ｓｕｚｕｋｉｓａｎ＠ｄｏｃｏｍｏ．ｎｅ．ｊｐ」及び携帯電話１０Ａのユーザの画像データのみが登録されているものとする。さらに、交換機１３の情報蓄積部４３には、図５に示す通信機能テーブルが登録されているものとする。
【００２９】
携帯電話１０Ａから携帯電話１０Ｂに対して発信する場合、携帯電話１０Ａのユーザから操作部２５を介して携帯電話１０Ｂが通信相手として指定される。そして、操作部２５から発信指示が入力されると、図６に示すように、携帯電話１０Ａから交換機１３Ａに対して接続要求が送出される（ステップ（以下、「ＳＴ」という）１）。
【００３０】
この接続要求を受け取ると、交換機１３Ａにおいて、携帯電話１０Ａが発信番号を通知するように設定されているか判定される（ＳＴ２）。図５に示すように、携帯電話１０Ａ（０９０−１１１１−ＸＸＸＸ）は、発信番号を通知するように設定されている。このため、交換機１３Ａにおいては、続いて、携帯電話１０Ａが利用可能な通信機能が判定される（ＳＴ３）。ここでは、図５に示すように、携帯電話１０Ａが利用可能な通信機能として、テレビ電話機能、特殊メール機能及び特殊着信機能が判定される。
【００３１】
携帯電話１０Ａの通信機能が判定されると、接続要求が交換機１３Ａから交換機１３Ｂに転送される（ＳＴ４）。この接続要求には、ＳＴ３で判定された携帯電話１０Ａが利用可能な通信機能が含まれている。この接続要求により、携帯電話１０Ａがテレビ電話機能、特殊メール機能及び特殊着信機能に対応可能である旨が交換機１３Ｂに通知されることとなる。
【００３２】
この接続要求を受け取ると、交換機１３Ｂにおいて、携帯電話１０Ｂが他の携帯電話１０で利用可能な通信機能を表示可能であるか判定される（ＳＴ５）。上述のように、携帯電話１０Ｂは、他の携帯電話１０で利用可能な通信機能を表示可能である。携帯電話１０Ｂが他の携帯電話１０の通信機能を表示可能であることが判定されると、交換機１３Ｂから携帯電話１０Ｂに対して接続要求が転送される（ＳＴ６）。この接続要求には、ＳＴ４で転送された接続要求と同様に、ＳＴ３で判定された携帯電話１０Ａが利用可能な通信機能が含まれている。
【００３３】
この接続要求を受け取ると、携帯電話１０Ｂから交換機１３Ｂに対して、接続要求を受け取った旨を示す接続応答が送出される（ＳＴ７）。そして、接続応答の送出と並行して携帯電話１０Ｂの表示部２３には、携帯電話１０Ａが利用可能な通信機能が表示される（ＳＴ８）。具体的には、携帯電話１０Ｂの表示部２３には、携帯電話１０Ａがテレビ電話機能、特殊メール機能及び特殊着信機能に対応可能である旨を示すアイコンが表示される。
【００３４】
この接続応答を受け取ると、交換機１３Ｂにおいて、携帯電話１０Ｂが発信番号を通知するように設定されているか判定される（ＳＴ９）。図５に示すように、携帯電話１０Ｂ（０９０−１１１１−ＹＹＹＹ）は、発信番号を通知するように設定されている。このため、交換機１３Ｂにおいては、続いて、携帯電話１０Ｂが利用可能な通信機能が判定される（ＳＴ１０）。ここでは、図５に示すように、携帯電話１０Ｂが利用可能な通信機能として、テレビ電話機能及び特殊メール機能が判定される。
【００３５】
携帯電話１０Ｂの通信機能が判定されると、接続応答が交換機１３Ｂから交換機１３Ａに転送される（ＳＴ１１）。この接続応答には、ＳＴ１０で判定された携帯電話１０Ｂが利用可能な通信機能が含まれている。この接続応答により、携帯電話１０Ｂがテレビ電話機能及び特殊メール機能に対応可能である旨が交換機１３Ａに通知されることとなる。
【００３６】
この接続応答を受け取ると、交換機１３Ａから携帯電話１０Ａに対して接続応答が転送される（ＳＴ１２）。この接続応答には、ＳＴ１１で転送された接続応答と同様に、ＳＴ１０で判定された携帯電話１０Ｂが利用可能な通信機能が含まれている。この接続応答を受け取ると、携帯電話１０Ａの表示部２３には、携帯電話１０Ｂが利用可能な通信機能が表示される（ＳＴ１３）。具体的には、携帯電話１０Ａの表示部２３には、携帯電話１０Ｂがテレビ電話機能及び特殊メール機能に対応可能である旨を示すアイコンが表示される。
【００３７】
そして、携帯電話１０Ａが携帯電話１０Ｂからの接続応答を受け取ると、両者の間の通話処理が開始される（ＳＴ１４）。この通話処理の間、双方の携帯電話１０の表示部２３には、相手側の携帯電話１０が利用可能な通信機能が表示されている。その後、通話処理が終了すると、携帯電話１０Ａにおいて、携帯電話１０Ｂが利用可能な通信機能が情報蓄積部２６内の電話帳テーブルに登録される（ＳＴ１５）。これと並行して、携帯電話１０Ｂにおいて、携帯電話１０Ａが利用可能な通信機能が情報蓄積部２６内の電話帳テーブルに登録される（ＳＴ１６）。
【００３８】
なお、ＳＴ１５及びＳＴ１６において、相手側の携帯電話１０が利用可能な通信機能を電話帳テーブルに登録する際には、図６に示す通話を行う前に未登録である、相手側の携帯電話１０が利用可能な通信機能のみを登録することが好ましい。この場合には、相手側の携帯電話１０が利用可能な通信機能を未登録の場合に当該通信機能が登録されることから、相手側の携帯電話１０が利用可能な通信機能が無差別に登録されるのを防止することが可能となる。
【００３９】
ところで、ＳＴ５で携帯電話１０Ｂが他の携帯電話１０の通信機能を表示可能でないと判定された場合、図７に示すように、交換機１３Ｂから携帯電話１０Ｂに転送される接続要求には、ＳＴ３で判定された携帯電話１０Ａが利用可能な通信機能が含まれていない。また、この場合、携帯電話１０Ｂからの接続応答を受け取った場合にも、交換機１３Ｂにおいて、発信番号通知の設定の判定（ＳＴ９）、並びに、通信機能の判定（ＳＴ１０）が行われることはない。このため、交換機１３Ｂから交換機１３Ａに転送される接続応答（ＳＴ１１）にも、交換機１３Ａから携帯電話１０Ａに転送される接続応答（ＳＴ１２）にも、携帯電話１２Ｂが利用可能な通信機能は含まれていない。この場合、携帯電話１０Ａ及び携帯電話１０Ｂの表示部２３に相手側の通信機能が表示されない状態で通話処理が行われる（ＳＴ１４）。
【００４０】
なお、図６に示すＳＴ２において、携帯電話１０Ａが発信番号を通知するように設定されていない場合には、後続するＳＴ３で携帯電話１０Ａが利用可能な通信機能を判定することなく、接続要求が交換機１３Ｂに転送される。そして、この接続要求に応じて携帯電話１０Ｂから接続応答を携帯電話１０Ａで受け取ると、携帯電話１０Ａ及び携帯電話１０Ｂの表示部２３に相手側の通信機能が表示されない状態で通話処理が行われる。また、図６に示すＳＴ９において、携帯電話１０Ｂが発信番号を通知するように設定されていない場合も同様である。
【００４１】
このように、本実施の形態においては、携帯電話１０に対する発信番号の通知設定により、自端末で利用可能な通信機能の通知の許否を切り替えることが可能となっている。この発信番号の通知を設定することにより、利用可能な通信機能の通知の有無を切り替えることが可能となるので、通知する必要のない通信相手先にまで利用可能な通信機能が通知されるのを防止することが可能となる。なお、利用可能な通信機能の通知の許否を切り替える情報については、これに限定されるものではなく、適宜変更が可能である。
【００４２】
ここで、図６に示すシーケンスにおいて、携帯電話１０Ａ及び携帯電話１０Ｂの表示部２３に表示される画面の構成例について図８及び図９を用いて説明する。図８は、携帯電話１０Ａの表示部２３に表示される画面の構成例について示し、図９は、携帯電話１０Ｂの表示部２３に表示される画面の構成例について示している。
【００４３】
携帯電話１０Ａの表示部２３においては、図６に示すように、ユーザから通信相手として携帯電話１０Ｂが指定され、発信指示が入力されると、図８（ａ）に示すように、「発信中」である旨が表示されると共に、携帯電話１０Ｂのユーザ名「佐藤さん」及びその電話番号「０９０−１１１１−ＹＹＹＹ」が表示される。そして、図６にＳＴ１２において、携帯電話１０Ｂが利用可能な通信機能を含む接続応答を受け取ると、ＳＴ１３において、図８（ｂ）に示すように、「呼出中」である旨が表示されると共に、ユーザ名及び電話番号に加えて、テレビ電話機能を示すアイコン８１、並びに、特殊メール機能を示すアイコン８２が表示される。さらに、図６に示すＳＴ１４において、通話処理が開始されると、図８（ｃ）に示すように、「通話中」である旨が表示されると共に、引き続きアイコン８１及び８２が表示される。
【００４４】
一方、携帯電話１０Ｂの表示部２３においては、図６に示すＳＴ６において、携帯電話１０Ａが利用可能な通信機能を含む接続要求を受け取ると、ＳＴ８において、図９（ａ）に示すように、「着信中」である旨が表示されると共に、携帯電話１０Ａのユーザ名「鈴木さん」及びその電話番号「０９０−１１１１−ＸＸＸＸ」が表示され、更に、テレビ電話機能を示すアイコン８１、特殊メール機能を示すアイコン８２、並びに、特殊着信機能を示すアイコン８３が表示される。そして、図６に示すＳＴ１４において、通話処理が開始されると、図９（ｂ）に示すように、「通話中」である旨が表示されると共に、引き続きアイコン８１、８２及び８３が表示される。
【００４５】
そして、通話処理を終了した後、ＳＴ１５において、携帯電話１０Ａでは、ＳＴ１３で表示した携帯電話１０Ｂが利用可能な通信機能が情報蓄積部２６の電話帳テーブルに登録される。図１０は、図６に示すシーケンスに従って通話を行う前及び行った後の携帯電話１０Ａにおける携帯電話１０Ｂの電話帳データの内容について説明するための図である。ここでは、説明の便宜上、表示部２３に表示される電話帳データ画面を用いて説明する。
【００４６】
電話帳データ画面においては、図１０に示すように、携帯電話１０Ｂのユーザの画像データ１０１、ユーザ名１０２、電話番号１０３及びメールアドレス１０４が表示されると共に、メモ欄１０５、利用可能な通信機能欄１０６及び機能ボタン１０７が表示される。特に、図１０においては、機能ボタン１０７として、テレビ電話ボタン、電話ボタン及びメールボタンが表示される場合について示している。
【００４７】
図６に示す通話を行う前において、携帯電話１０Ｂの電話帳データを表示すると、図１０（ａ）に示す電話帳データ画面が表示部２３に表示される。すなわち、利用可能な通信機能欄１０６には、携帯電話１０Ｂが利用可能な通信機能は何も登録されていない。しかしながら、図６に示す通話を行った後においては、ＳＴ１５で携帯電話１０Ｂが利用可能な通信機能が登録されているため、携帯電話１０Ｂの電話帳データを表示すると、図１０（ｂ）に示す電話帳データ画面が表示部２３に表示される。すなわち、利用可能な通信機能欄１０６には、テレビ電話機能を示すアイコン８１、特殊メール機能を示すアイコン８２が追加されている。
【００４８】
同様に、通話処理を終了した後、ＳＴ１６において、携帯電話１０Ｂでは、ＳＴ８で表示した携帯電話１０Ａが利用可能な通信機能が情報蓄積部２６の電話帳テーブルに登録される。図１１は、図６に示すシーケンスに従って通話を行う前及び行った後の携帯電話１０Ｂにおける携帯電話１０Ａの電話帳データの内容について説明するための図である。ここでは、説明の便宜上、図１０と同様に、表示部２３に表示される電話帳データ画面を用いて説明する。なお、図１１においては、図１０と同一の構成について同一の符号を付し、その説明を省略する。
【００４９】
図６に示す通話を行う前において、携帯電話１０Ａの電話帳データを表示すると、図１１（ａ）に示す電話帳データ画面が表示部２３に表示される。すなわち、利用可能な通信機能欄１０６には、携帯電話１０Ａが利用可能な通信機能は何も登録されていない。しかしながら、図６に示す通話を行った後においては、ＳＴ１６で携帯電話１０Ａが利用可能な通信機能が登録されているため、携帯電話１０Ａの電話帳データを表示すると、図１１（ｂ）に示す電話帳データ画面が表示部２３に表示される。すなわち、利用可能な通信機能欄１０６には、テレビ電話機能を示すアイコン８１、特殊メール機能を示すアイコン８２及び特殊着信機能を示すアイコン８３が追加されている。
【００５０】
このように本実施の形態に係る通信システムによれば、発信側の携帯電話１０Ａから通信要求があると、交換機１３から、発信側及び着信側の双方の携帯電話１０が利用可能な通信機能が相手側の携帯電話１０に通知され、双方の携帯電話１０において、相手側の携帯電話１０が利用可能な通信機能が表示されるので、ユーザにおいて、相手側の携帯電話１０が利用可能な通信機能を容易に把握することが可能となる。また、通信終了後に、通知された相手側の携帯電話１０が利用可能な通信機能が登録されるので、後続する通信においても、相手側の携帯電話１０が利用可能な通信機能を把握でき、当該通信機能の利用を促進することが可能となる。
【００５１】
また、本実施の形態に係る通信システムによれば、発信側及び着信側の双方の携帯電話１０は、交換機１３から通知された相手側の携帯電話１０が利用可能な通信機能をアイコンで表示するようにしていることから、ユーザにおいて、直感的に相手側の携帯電話１０が利用可能な通信機能を把握することが可能となる。
【００５２】
さらに、本実施の形態に係る通信システムによれば、交換機１３は、発信側又は着信側の携帯電話１０が利用可能な通信機能の通知が許容されている場合に当該通信機能を相手側の携帯電話１０に通知することから、ユーザからの指示に応じて利用可能な通信機能の通知の有無を切り替えることが可能となるので、通知する必要のない通信相手先にまで利用可能な通信機能が通知されるのを防止することが可能となる。
【００５３】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００５４】
例えば、上記実施の形態においては、携帯電話網１２に配設された交換機１３が通信機能テーブルを備える場合について示しているが、通信機能テーブルを備える構成については、これに限定されるものではなく適宜変更が可能である。例えば、交換機１３とは別に携帯電話網１２に配設されるサーバ装置に通信機能テーブルを備えるようにしても良い。このようにサーバ装置に通信機能テーブルを備える場合においても、上記実施の形態と同様の効果を得ることが可能である。
【００５５】
また、上記実施の形態においては、携帯電話１０Ａと携帯電話１０Ｂとの間の通常の通話処理を行った場合に相手側の携帯電話１０Ｂ及び１０Ａの通信機能を表示し、登録する場合について説明しているが、相手側の携帯電話１０の通信機能を表示し、登録する際の前提となる処理についてはこれに限定されるものではない。例えば、上述のテレビ電話機能を利用したテレビ通話処理を行った場合に相手側の携帯電話１０Ｂ及び１０Ａの通信機能を表示し、登録するようにしても良い。
【図面の簡単な説明】
【００５６】
【図１】本実施の形態に係る通信システムが適用されるネットワーク全体の構成図である。
【図２】上記実施の形態に係る通信システムが有する携帯電話の機能ブロック図である。
【図３】上記実施の形態に係る携帯電話の情報蓄積部に登録された電話帳データの一例を示す図である。
【図４】上記実施の形態に係る通信システムが有する交換機の機能ブロック図である。
【図５】上記実施の形態に係る交換機の情報蓄積部に登録された通信機能テーブルの内容について示す図である。
【図６】上記実施の形態に係る通信システムで通話を行う場合の動作について説明するためのシーケンス図である。
【図７】上記実施の形態に係る通信システムで通話を行う場合の動作について説明するためのシーケンス図である。
【図８】図６に示すシーケンスにおいて、発信側の携帯電話の表示部に表示される画面の構成例について示す図である。
【図９】図６に示すシーケンスにおいて、着信側の携帯電話の表示部に表示される画面の構成例について示す図である。
【図１０】図６に示すシーケンスに従って通話を行う前及び行った後の発信側の携帯電話における着信側の携帯電話の電話帳データの内容について説明するための図である。
【図１１】図６に示すシーケンスに従って通話を行う前及び行った後の着信側の携帯電話における発信側の携帯電話の電話帳データの内容について説明するための図である。
【符号の説明】
【００５７】
１０Ａ、１０Ｂ  通信端末装置（携帯電話）
１１Ａ、１１Ｂ  基地局
１２  携帯電話網
１３Ａ、１３Ｂ  交換機
２１  主制御部
２２  通信制御部
２３  表示部
２４  表示制御部
２５  操作部
２６  情報蓄積部
２７  情報登録部
４１  主制御部
４２  通信制御部
４３  情報蓄積部
４４  通信機能判定部
８１〜８３  アイコン
【図１】
2008066985.tif 000003
【図２】
2008066985.tif 000004
【図３】
2008066985.tif 000005
【図４】
2008066985.tif 000006
【図５】
2008066985.tif 000007
【図６】
2008066985.tif 000008
【図７】
2008066985.tif 000009
【図８】
2008066985.tif 000010
【図９】
2008066985.tif 000011
【図１０】
2008066985.tif 000012
【図１１】
2008066985.tif 000013